(57)【要約】【課題】機器の遠隔操作を行うリモコン送信機に関し、所定の機能を設定し易いリモコン送信機を提供することを目的とする。【解決手段】操作手段１２の操作によって個々の機能２１の組合せを表わすグループメニュー２０を選択すると、制御手段１３がこのグループメニュー２０の個々の機能２１も同時に表示させるようにしてリモコン送信機を構成することによって、複数のグループメニュー２０の全体像と所定のグループメニュー２０の個々の機能２１の対応が分かり易いため、所定の機能を設定し易いリモコン送信機を得ることができる。【選択図】  図１
2004282586.tif 000002
【特許請求の範囲】
【請求項１】
遠隔操作する機器の個々の機能または個々の機能の組合せを表わすグループメニューを表示する表示手段と、前記個々の機能またはグループメニューの選択・決定操作を行う操作手段と、機器を遠隔操作する信号を送信する送信手段と、前記操作手段の操作によって前記表示手段の表示を制御する制御手段からなり、前記操作手段の操作によって所定のグループメニューを選択すると、前記制御手段がこのグループメニューの個々の機能も同時に前記表示手段に表示させるリモコン送信機。
【請求項２】
操作手段の操作によって所定のグループメニューを決定すると、このグループメニューの個々の機能の全てを送信し、同時に表示された個々の機能を決定するとこの所定の個々の機能のみを送信する請求項１記載のリモコン送信機。
【請求項３】
グループメニュー及び個々の機能に加えて、遠隔操作する機器の機器メニューまたはグループメニューの組合せを表わす代表メニューの少なくとも一方も同時に表示手段に表示する請求項１記載のリモコン送信機。
【請求項４】
グループメニュー及び個々の機能をそれぞれ円柱状の外周面上に表示する請求項１記載のリモコン送信機。
【発明の詳細な説明】
【０００１】
【発明の属する技術分野】
本発明は、機器の遠隔操作を行うリモコン送信機に関するものである。
【０００２】
【従来の技術】
近年、テレビ機器やビデオ機器等の遠隔操作を行える機器が増えるに伴い、一つのリモコン送信機を操作してこれらの複数の機器を遠隔操作できるものが増えている。
【０００３】
また、その事に加えて、頻繁に使う複数の個々の機能等を記憶させてこれらの設定した所定の機能を送信させることのできるものや、これらの設定した所定の機能の全てを送信させることのできるものも増えている。
【０００４】
このような従来のリモコン送信機について、図６から図８を用いて説明する。
【０００５】
図６は従来のリモコン送信機の外観図、図７は同ブロック回路図であり、同図において、このリモコン送信機の左方前面には、液晶表示素子等の表示手段１が設けられている。
【０００６】
また、右方前面には、上下方向の選択釦２Ｄ、２Ｅ、左右方向の選択釦２Ｆ、２Ｇ、決定釦２Ｃ、電源釦２Ａ等が配設されて、操作手段２が形成されている。
【０００７】
そして、この内部には制御手段３が形成されると共に、この制御手段３からの電気信号を赤外線信号に変換して送信する送信手段４が表示手段１の上方に配設され、この送信手段４や操作手段２、表示手段１が制御手段３に接続されてリモコン送信機が構成されている。
【０００８】
以上の構成において、このリモコン送信機を用いて、例えばテレビ機器の電源をＯＮする遠隔操作を行う場合について説明する。
【０００９】
先ず、電源釦２Ａを押圧操作すると、制御手段３がこれを検出して、図８（ａ）の画面表示図に示すような、遠隔操作するテレビ機器の「ＴＶ」等の機器メニュー等が表示された初期画面を表示手段１に表示させる。
【００１０】
次に、表示内容の選択を行う半透明のカーソル１Ａは、最上の「ＴＶ」の箇所に表示されるため、この状態で決定釦２Ｃを押圧操作すると、制御手段３がこれを検出して、図８（ｂ）に示すような、テレビ機器の電源ＯＮを表わす「ＯＮ」等の個々の機能が表示された画面を表示させる。
【００１１】
最後に、カーソル１Ａは左上の「ＯＮ」の箇所に表示されるため、このまま決定釦２Ｃを押圧操作すると、制御手段３が「ＯＮ」に対応した遠隔操作の電気信号を出力し、この電気信号を送信手段４が赤外線信号に変換して送信することにより、テレビ機器が遠隔操作されて、テレビ機器の電源がＯＮとなる。
【００１２】
次に、テレビ機器の電源ＯＮやビデオ機器の電源ＯＮ、再生等の複数の個々の機能を記憶させてこれらの設定した所定の機能を送信させることのできる、設定及び操作について説明する。
【００１３】
先ず、ＨＯＭＥ釦２Ｂを押圧操作して、図８（ａ）の機器メニューに加えて、頻繁に使う所定の機能の組合せを表わす「Ｆａｖｏｒｉｔｅ」等のグループメニューが表示された初期画面を表示する。
【００１４】
次に、カーソル１Ａを「Ｆａｖｏｒｉｔｅ」へ移動させ、設定釦２Ｈを押圧操作すると、制御手段３がこれを検知し、「Ｆａｖｏｒｉｔｅ」に個々の機能を設定できる状態とする。
【００１５】
この後、上記のテレビ機器の電源をＯＮする遠隔操作を行う場合の手順と同様にして、カーソル１Ａを、先ず「ＴＶ」に移動させて決定釦２Ｃを押圧操作し、次に「ＯＮ」に移動させて決定釦２Ｃを押圧操作すると、テレビ機器の電源をＯＮする機能を「Ｆａｖｏｒｉｔｅ」に設定できる。
【００１６】
そして、続いて、ＨＯＭＥ釦２Ｂを押圧操作して初期画面に戻し、カーソル１Ａをビデオ機器としての「ＶＣＲ」に移動させて決定釦２Ｃを押圧操作すると、図８（ｃ）に示すような、テレビ機器の電源ＯＮを表わす「ＯＮ」等の個々の機能が表示された画面が表示される。
【００１７】
次に、カーソル１Ａを「ＯＮ」に移動させて決定釦２Ｃを押圧操作すると、ビデオ機器の電源をＯＮする機能を「Ｆａｖｏｒｉｔｅ」に設定できる。
【００１８】
そして、この状態で、設定釦２Ｈを押圧操作すると、制御手段３がこれを検出して、設定できる状態が終了したことを検知すると共に、表示手段１の表示を初期画面に戻す。
【００１９】
つまり、「Ｆａｖｏｒｉｔｅ」に個々の機能を設定する場合には、一旦、ＨＯＭＥ釦２Ｂを押圧操作して、グループメニュー等が表示された初期画面に戻す必要がある。
【００２０】
なお、この初期画面の中から「Ｆａｖｏｒｉｔｅ」を選択すると、テレビ機器の電源ＯＮやビデオ機器の電源ＯＮ等の機能が表示された画面が表示され、この後、カーソル１Ａをテレビ機器の電源ＯＮの箇所に移動し、決定釦２Ｃを押圧操作すると、テレビ機器の電源がＯＮとなる遠隔操作を行える。
【００２１】
最後に、テレビ機器の電源ＯＮ、ビデオ機器の電源ＯＮ、再生等の複数の個々の機能を記憶させてこれらの設定した機能の全てを送信させることのできる、設定及び操作について説明する。
【００２２】
先ず、ＨＯＭＥ釦２Ｂを押圧操作して、図８（ａ）の機器メニューに加えて、個々の機能の組合せを表わす「Ｍａｃｒｏ」等のグループメニューが表示された初期画面を表示する。
【００２３】
次に、カーソル１Ａを「Ｍａｃｒｏ」へ移動させ、設定釦２Ｈを押圧操作する等、「Ｆａｖｏｒｉｔｅ」で所定の機能を設定した場合と同様にして、テレビ機器の電源ＯＮやビデオ機器の電源ＯＮ、再生の機能をこの順で設定できる。
【００２４】
その後、設定釦２Ｈを押圧操作すると、制御手段３がこれを検出して、設定できる状態が終了したことを検知すると共に、表示手段１の表示を初期画面に戻す。
【００２５】
つまり、「Ｍａｃｒｏ」に個々の機能を設定する場合にも、一旦、ＨＯＭＥ釦２Ｂを押圧操作して、グループメニュー等が表示された初期画面に戻す必要がある。
【００２６】
なお、初期画面の状態から「Ｍａｃｒｏ」へカーソル１Ａを移動し、決定釦２Ｃを押圧操作すると、制御手段３がこれを検出してテレビ機器の電源ＯＮやビデオ機器の電源ＯＮ、再生に対応した遠隔操作の電気信号をこの順で連続して出力する。
【００２７】
すると、これらの電気信号を送信手段４が赤外線信号に変換して送信し、先ず、テレビ機器の電源がＯＮとなり、次にビデオ機器の電源がＯＮとなり、最後にビデオ機器が再生状態となる。
【００２８】
なお、この出願の発明に関連する先行技術文献情報としては、例えば、特許文献１が知られている。
【００２９】
【特許文献１】
特開２００２−１５２８６３号公報
【００３０】
【発明が解決しようとする課題】
しかしながら上記従来のリモコン送信機においては、頻繁に使う個々の機能等の所定の機能を設定する場合、一旦、ＨＯＭＥ釦２Ｂを押圧操作して、設定した個々の機能の組合せを表わすグループメニュー等が表示された初期画面に戻す必要があるため、複数のグループメニューの全体像と所定のグループメニューの個々の機能の対応が分かり難く、所定の機能を設定し難いという課題があった。
【００３１】
本発明は、このような従来の課題を解決するものであり、所定の機能を設定し易いリモコン送信機を提供することを目的とする。
【００３２】
【課題を解決するための手段】
上記目的を達成するために本発明は、以下の構成を有するものである。
【００３３】
本発明の請求項１に記載の発明は、操作手段の操作によって個々の機能の組合せを表わすグループメニューを選択すると、制御手段がこのグループメニューの個々の機能も同時に表示させるようにしてリモコン送信機を構成したものであり、複数のグループメニューの全体像と所定のグループメニューの個々の機能の対応が分かり易いため、所定の機能を設定し易いリモコン送信機を得ることができるという作用を有する。
【００３４】
請求項２に記載の発明は、請求項１記載の発明において、操作手段の操作によって所定のグループメニューを決定すると、このグループメニューの個々の機能の全てを送信し、同時に表示された個々の機能を決定するとこの所定の個々の機能のみを送信するものであり、所定のグループメニューの個々の機能の全てを送信させたり、グループメニューの所定の個々の機能のみを送信させたりする操作も行い易いという作用を有する。
【００３５】
請求項３に記載の発明は、請求項１記載の発明において、グループメニュー及び個々の機能に加えて、遠隔操作する機器の機器メニューまたはグループメニューの組合せを表わす代表メニューの少なくとも一方も同時に表示手段に表示するものであり、グループメニュー及び個々の機能に加えて、遠隔操作する機器の機器メニューが同時に表示されたり、グループメニューの組合せを表わす代表メニューが同時に表示されたりするため、所定の機器のグループメニューを選択し易くできたり、所定の代表メニューのグループメニューを選択し易くできたりするという作用を有する。
【００３６】
請求項４に記載の発明は、請求項１記載の発明において、グループメニュー及び個々の機能をそれぞれ円柱状の外周面上に表示したものであり、グループメニューや個々の機能が多く、それらを全て表示できない場合でも、表示できないグループメニューや個々の機能を円柱状の外周面上の裏側に隠れていることを容易に連想させることができるので、所定のグループメニューや所定の個々の機能を選択し易くできるという作用を有する。
【００３７】
【発明の実施の形態】
以下、本発明の実施の形態について、図１〜図５を用いて説明する。
【００３８】
（実施の形態）
図１は本発明の一実施の形態によるリモコン送信機の外観図、図２は同ブロック回路図であり、同図において、このリモコン送信機の左方前面には、液晶表示素子等の表示手段１１が設けられている。
【００３９】
そして、この表示手段１１の左側には、円柱状の外周面上に、遠隔操作する機器の個々の機能の組合せを表わす「ＣＨＡＮＮＥＬ」や「ＩＮＰＵＴ」等の複数のグループメニュー２０が上下に配列されている。
【００４０】
なお、表示内容の選択を行う半透明のカーソル１１Ａは、これらのグループメニュー２０の中央の「ＣＨＡＮＮＥＬ」の箇所に表示されている。
【００４１】
また、これらの右側には、同じく円柱状の外周面上に、カーソル１１Ａによって選択されている「ＣＨＡＮＮＥＬ」のグループメニュー２０の個々の機能を表わす「１ｃｈ」や「２ｃｈ」等の複数の個々の機能２１が上下に配列されている。
【００４２】
そして、これらのグループメニュー２０及び個々の機能２１の上方には、遠隔操作するテレビ機器としての「ＴＶ」等の機器メニュー２２やグループメニュー２０の組合せを表わす「Ｃｕｓｔｏｍｉｚｅ」等の代表メニュー２３が左右に配列されている。
【００４３】
また、リモコン送信機の右方前面には、電源釦１２Ａ、ＲＥＴＵＲＮ釦１２Ｂ等が配設されて、操作手段１２が形成されている。
【００４４】
そして、表示手段１１の前面には、下面に透明な酸化インジウム錫等の上電極が形成された可撓性を有する上基板と、上面にこの上電極と所定の間隔を空けて対向する下電極が形成された下基板からなる、所謂、透明タッチパネル１６が配置されている。
【００４５】
また、リモコン送信機の内部にはマイクロコンピュータ等によって制御手段１３が形成されると共に、この制御手段１３からの電気信号を赤外線信号に変換して送信する赤外発光ダイオード等の送信手段１４が表示手段１１の上方に配設されている。
【００４６】
そして、この送信手段１４や表示手段１１、操作手段１２、透明タッチパネル１６が制御手段１３に接続されて、リモコン送信機が構成されている。
【００４７】
以上の構成において、このリモコン送信機を用いて、頻繁に使う複数の個々の機能等を記憶させてこれらの設定した所定の機能を送信させることのできる、設定及び操作について説明する。
【００４８】
先ず、電源釦１２Ａを押圧操作すると、制御手段１３がこれを検出して、図１に示したような、表示手段１１に個々の機能２１やグループメニュー２０、機器メニュー２２、代表メニュー２３等が同時に表示された初期画面を表示させる。
【００４９】
また、同時に、カーソル１１Ａを左上の機器メニュー２２の「ＴＶ」と中央のグループメニュー２０の「ＣＨＡＮＮＥＬ」の箇所に表示させる。
【００５０】
次に、代表メニュー２３の「Ｃｕｓｔｏｍｉｚｅ」前面の透明タッチパネル１６に触れると、この箇所の透明タッチパネル１６の上電極と下電極がＯＮし、制御手段１３がこれを検出して、図３（ａ）に示すように、カーソル１１Ａをこの「Ｃｕｓｔｏｍｉｚｅ」の箇所に移動させる。
【００５１】
また、同時に、この下方左側には円柱状の枠を表示させると共に、この右側にはこの円柱状に表示させる「Ｆａｖｏｒｉｔｅ−１」等のグループメニュー２０の名称が上下に配列されたグループメニュー名称選択画面２４を表示させる。
【００５２】
ここで、この中から「Ｆａｖｏｒｉｔｅ−１」前面の透明タッチパネル１６に触れると、図３（ｂ）に示すように、「Ｆａｖｏｒｉｔｅ−１」をグループメニュー２０として、この左側の円柱状の外周面上に表示させる。
【００５３】
その後、機器メニュー２２のテレビ機器としての「ＴＶ」前面の透明タッチパネル１６に触れると、図３（ｃ）に示すように、この「ＴＶ」にもカーソル１１Ａを表示させてテレビ機器を選択する。
【００５４】
また、同時に、このテレビ機器の「ＯＮ」等の個々の機能の名称が上下に配列された機能名称選択画面２５をグループメニュー２０や円柱状の枠に代えて表示させると共に、この右側には円柱状の枠を表示させる。
【００５５】
続いて、機能名称選択画面２５の「ＯＮ」前面の透明タッチパネル１６に触れると、図３（ｄ）に示すように、テレビ機器の電源ＯＮを表わす「ＴＶ  ＯＮ」を個々の機能２１として、この右側の円柱状の外周面上に表示させる。
【００５６】
つまり、制御手段１３が「Ｆａｖｏｒｉｔｅ−１」のグループメニュー２０に「ＴＶ  ＯＮ」を個々の機能２１として設定する。
【００５７】
次に機器メニュー２２のテレビ機器としての「ＶＣＲ」前面の透明タッチパネル１６に触れると、図４（ｅ）に示すように機器メニュー２２のカーソル１１Ａを「ＴＶ」から「ＶＣＲ」に移動させる。
【００５８】
また、同時に、機能名称選択画面２５に表示されている個々の機能の名称をテレビ機器のものからビデオ機器のものに変える。
【００５９】
そして、この機能名称選択画面２５の中からビデオ機器の電源ＯＮを表わす「ＯＮ」及び再生を表わす「ＰＬＡＹ」について、「ＴＶ  ＯＮ」設定時と同様の操作を行うと、図４（ｆ）に示すように、これらの個々の機能を表わす「ＶＣＲＯＮ」及び「ＶＣＲ  ＰＬＡＹ」を個々の機能２１として円柱状の外周面上に「ＴＶ  ＯＮ」に追加して表示させる。
【００６０】
この後、ＲＥＴＵＲＮ釦１２Ｂを押圧操作すると、設定できる状態が終了したことを検知すると共に、図４（ｇ）に示すように、機器メニュー２２の「ＶＣＲ」や代表メニュー２３の「Ｃｕｓｔｏｍｉｚｅ」に表示されていたカーソル１１Ａを代表メニュー２３の「Ｆａｖｏｒｉｔｅ」に移動させる。
【００６１】
また、同時に、機能名称選択画面２５に代えて、円柱状の枠とこの外周面上に「Ｆａｖｏｒｉｔｅ−１」のグループメニュー２０を表示させる。
【００６２】
つまり、グループメニュー２０としての「Ｆａｖｏｒｉｔｅ−１」と、このグループメニュー２０の個々の機能２１としての「ＴＶ  ＯＮ」や「ＶＣＲ  ＯＮ」、「ＶＣＲ  ＰＬＡＹ」も同時に表示させる。
【００６３】
なお、続いて、個々の機能２１、例えば、「ＴＶ  ＯＮ」前面の透明タッチパネル１６に触れると、制御手段１３がこれを検出して、テレビ機器の電源ＯＮの電気信号を出力し、この電気信号を送信手段１４が赤外線信号に変換して送信し、テレビ機器の電源がＯＮとなる遠隔操作を行える。
【００６４】
最後に、テレビ機器の電源ＯＮ、ビデオ機器の電源ＯＮ、再生等の複数の個々の機能を記憶させてこれらの設定した機能の全てを送信させることのできる、設定及び操作について説明する。
【００６５】
先ず、代表メニュー２３の「Ｃｕｓｔｏｍｉｚｅ」前面の透明タッチパネル１６に触れると、図３（ａ）に示したような、「Ｆａｖｏｒｉｔｅ−１」や「Ｍａｃｒｏ−１」等のグループメニュー２０の名称が上下に配列されたグループメニュー名称選択画面２４が表示される。
【００６６】
次に、「Ｆａｖｏｒｉｔｅ−１」に個々の機能を設定した場合と同様にして、先ず、「Ｍａｃｒｏ−１」前面の透明タッチパネル１６に触れて「Ｍａｃｒｏ−１」を選択し、次に、この「Ｍａｃｒｏ−１」に「Ｆａｖｏｒｉｔｅ−１」と同じ個々の機能を同じ順で設定する。
【００６７】
すると、図４（ｈ）に示すように、「Ｍａｃｒｏ−１」のグループメニュー２０が「Ｆａｖｏｒｉｔｅ−１」に追加されて表示されると共に、この右側には「Ｆａｖｏｒｉｔｅ−１」と同じ個々の機能が表示される。
【００６８】
つまり、グループメニュー２０としての「Ｍａｃｒｏ−１」と、このグループメニュー２０の個々の機能２１としての「ＴＶ  ＯＮ」や「ＶＣＲ  ＯＮ」、「ＶＣＲ  ＰＬＡＹ」も同時に表示される。
【００６９】
なお、続いて、「Ｍａｃｒｏ−１」前面の透明タッチパネル１６に触れると、制御手段１３がこれを検出して、「Ｍａｃｒｏ−１」のグループメニュー２０を決定し、テレビ機器の電源ＯＮやＶＣＲ機器の電源ＯＮ、再生に対応した遠隔操作の電気信号をこの順で連続して出力する。
【００７０】
そして、これらの電気信号を送信手段１４が赤外線信号に変換して送信し、先ず、テレビ機器の電源がＯＮとなり、次にＶＣＲ機器の電源がＯＮとなり、最後にＶＣＲ機器が再生状態となる遠隔操作を行える。
【００７１】
また、以上のようにして設定した個々の機能の操作を行うのではなく、所定の機器を選択し、その機器の遠隔操作を行う場合にも、設定した個々の機能の操作を行う場合と同様に操作を行える。
【００７２】
例えば、テレビ機器を２ｃｈにする遠隔操作を行う場合には、図１において、先ず、機器メニュー２２の「ＴＶ」に触れて、テレビ機器を選択する。
【００７３】
次に、テレビ機器の機能の組合せを表わすグループメニュー２０の中から選択されているものを確認し、それが「ＣＨＡＮＮＥＬ」でなかったなら、「ＣＨＡＮＮＥＬ」に触れて、「ＣＨＡＮＮＥＬ」のグループメニュー２０を選択する。
【００７４】
最後に、「ＣＨＡＮＮＥＬ」のグループメニュー２０の複数の個々の機能２１の中から「２ｃｈ」に触れて、２ｃｈの機能を決定する。
【００７５】
このように本実施の形態によれば、操作手段１２の操作によって個々の機能２１の組合せを表わすグループメニュー２０を選択すると、制御手段１３がこのグループメニュー２０の個々の機能２１も同時に表示させるようにしてリモコン送信機を構成することによって、複数のグループメニュー２０の全体像と所定のグループメニュー２０の個々の機能２１の対応が分かり易いため、所定の機能を設定し易いリモコン送信機を得ることができるものである。
【００７６】
また、操作手段１２の操作によって所定のグループメニュー２０を決定すると、このグループメニュー２０の個々の機能２１の全てを送信し、同時に表示された個々の機能２１を決定するとこの所定の個々の機能２１のみを送信することによって、所定のグループメニューの個々の機能の全てを送信させたり、グループメニューの所定の個々の機能のみを送信させたりする操作も行い易くできる。
【００７７】
そして、グループメニュー２０及び個々の機能２１に加えて、遠隔操作する機器の機器メニュー２２またはグループメニューの組合せを表わす代表メニュー２３の少なくとも一方も同時に表示することによって、グループメニュー２０及び個々の機能２１に加えて、遠隔操作する機器の機器メニュー２２が同時に表示されたり、グループメニューの組合せを表わす代表メニュー２３が同時に表示されたりするため、所定の機器のグループメニュー２０を選択し易くできたり、所定の代表メニューのグループメニュー２０を選択し易くできたりする。
【００７８】
また、グループメニュー２０及び個々の機能２１をそれぞれ円柱状の外周面上に表示することによって、グループメニュー２０や個々の機能２１が多く、それらを全て表示できない場合でも、表示できないグループメニュー２０や個々の機能２１を円柱状の外周面上の裏側に隠れていることを容易に連想させることができるので、所定のグループメニュー２０や所定の個々の機能２１を選択し易くできる。
【００７９】
なお、以上の説明では、透明タッチパネル１６が表示手段１１の前方に配置される構成とし、グループメニュー２０または個々の機能２１の選択または決定の操作を行うものとして説明したが、これに代えて、釦、トラックボール、パッド等で、選択または決定の操作を行うものとしても良い。
【００８０】
例えば、図５に示すように、上下方向の回転操作により上下方向を選択できる選択釦１２Ｅや左右方向の選択釦１２Ｆ及び１２Ｇ、決定釦１２Ｈを配設する構成として、選択釦１２Ｅや１２Ｆ、１２Ｇにより、カーソル１１Ａを移動させてグループメニュー２０または個々の機能２１を選択し、決定釦１２Ｈで選択されているものを決定するものとしても良い。
【００８１】
また、選択釦１２Ｅを上下方向の回転操作に加え前後方向への押圧操作も可能に形成すると共に、この背後に押圧操作によって電気的接離を行うスイッチを配設して、選択釦１２Ｅに決定釦１２Ｈを一体化した構成とすれば、機能の選択に加え、決定も一つの選択釦１２Ｅでできるため、さらに使い易いものとすることができる。
【００８２】
さらに、選択釦１２Ｅを球状とし、左右方向の選択釦１２Ｆおよび１２Ｇも一体化した構成とすることも可能である。
【００８３】
また、選択釦１２Ｅは表示手段１１の右方前面の他、リモコン送信機の右方側面等に配設しても良い。
【００８４】
そして、２つの機器メニュー２２と２つの代表メニュー２３を同時に表示するものとして説明したが、これらのメニュー数が多過ぎて見づらい場合には、図３（ａ）に示したように、これらのメニューの左右端２６、２７前面に触れることで、これらのメニューを左右方向へ順に送るようにして全てのメニューを表示できるようにしても良い。
【００８５】
また、グループメニュー名称選択画面２４や機能名称選択画面２５の名称数が多過ぎて見づらい場合には、これらの名称の上下端２８、２９や３０、３１前面に触れることで、これらの名称を上下方向へ順に送るようにして全ての名称を表示できるようにしても良い。
【００８６】
そして、以上の説明では、グループメニュー２０等に設定する名称をグループメニュー名称選択画面２４等の中から選択したが、文字を入力して、例えば、「Ｆａｖｏｒｉｔｅ−１」等の名称を「お気に入り」等の好みに応じて変更できるようにしても良い。
【００８７】
更に、以上の説明では、「Ｍａｃｒｏ−１」のグループメニュー２０を決定すると、この「Ｍａｃｒｏ−１」の複数の個々の機能２１の機能の全てが送信されるものとして説明したが、それ以外のグループメニュー２０、例えば、「Ｆａｖｏｒｉｔｅ−１」を選択し、もう一度、「Ｆａｖｏｒｉｔｅ−１」を選択すると、この「Ｆａｖｏｒｉｔｅ−１」が決定されて、この「Ｆａｖｏｒｉｔｅ−１」の複数の個々の機能２１の全てが送信されるようにしても良い。
【００８８】
【発明の効果】
以上のように本発明によれば、所定の機能を設定し易いリモコン送信機を得ることができるという有利な効果が得られる。
【図面の簡単な説明】
【図１】本発明の一実施の形態によるリモコン送信機の外観図
【図２】同ブロック回路図
【図３】同表示図
【図４】同表示図
【図５】本発明の他の実施の形態によるリモコン送信機の外観図
【図６】従来のリモコン送信機の外観図
【図７】同ブロック回路図
【図８】同表示図
【符号の説明】
１、１１  表示手段
１Ａ、１１Ａ  カーソル
２、１２  操作手段
４、１４  送信手段
１２Ａ  電源釦
１２Ｂ  ＲＥＴＵＲＮ釦
１２Ｅ  選択釦
１２Ｆ  左方向の選択釦
１２Ｇ  右方向の選択釦
１２Ｈ  決定釦
１３  制御手段
１６  透明タッチパネル
２０  グループメニュー
２１  個々の機能
２２  機器メニュー
２３  代表メニュー
２４  グループメニュー名称選択画面
２５  機能名称選択画面
２６  機器メニューや代表メニューの左端
２７  機器メニューや代表メニューの右端
２８  グループメニュー名称選択画面の上端
２９  グループメニュー名称選択画面の下端
３０  機能名称選択画面の上端
３１  機能名称選択画面の下端
【図１】
2004282586.tif 000003
【図２】
2004282586.tif 000004
【図３】
2004282586.tif 000005
【図４】
2004282586.tif 000006
【図５】
2004282586.tif 000007
【図６】
2004282586.tif 000008
【図７】
2004282586.tif 000009
【図８】
2004282586.tif 000010